(57)【特許請求の範囲】
【請求項１】
巻尺テープ１を巻き付けるドラム２と、そのドラム２に巻き付ける巻尺テープ１の外周部を覆う外胴３とを具え、そのドラム２と外胴３が、ともに、押出し成形された長い資材を巻尺テープ１の幅に合わせた長さに切断することによって形成されたものであることを特徴とする巻尺ケース。
【請求項２】
素材を押出し成形することにより巻尺テープ１を巻き付けるドラム２を形成するための長いドラム用資材１５を形成するとともに、同じく、素材を押出し成形することによりドラム２に巻き付ける巻尺テープ１の外周部を覆う外胴３を形成するための長い外胴用資材１６を形成して、そのドラム用資材１５及び外胴用資材１６を巻尺テープ１の幅に合わせた長さに切断することによってドラム２及び外胴３を形成し、そのドラム２と外胴３に他の部品を組み付けて、ドラム２を外胴３の内側に回転自在に支持することを特徴とする巻尺ケースの製造方法。
【発明の詳細な説明】
【０００１】
【発明の属する技術分野】
本発明は巻尺ケース及びその製造方法に関する。
【０００２】
【従来の技術】
巻尺テープには、その用途に合わせて、長さと幅の異なるものが複数種類存在する。例えば、長さに１０ｍ、３０ｍ、５０ｍの３種類があり、幅にも１ｃｍ、３ｃｍ、６ｃｍの３種類があるとすると、それぞれの組み合わせにより、全部で９種類の巻尺テープが存在することになる。そして、これら複数種類の巻尺テープを収容するケースも、巻尺テープの種類数だけ必要となる。したがって、巻尺ケースの構成部品を成形するための金型も９種類備える必要があって、コスト高になるという問題があった。
【０００３】
【発明が解決しようとする課題】
そこで本発明は、幅が異なる複数種類の巻尺テープをそれぞれ収容する複数の巻尺ケースを製造する場合に、それらの一部構成部品を同一の金型により成形可能として、金型点数を減少させることによりコストを削減できる巻尺ケースとその製造方法の提供を課題とする。
【０００４】
【課題を解決するための手段】
上記課題を解決するために、本発明の巻尺ケースは、巻尺テープ１を巻き付けるドラム２と、そのドラム２に巻き付ける巻尺テープ１の外周部を覆う外胴３とを具え、そのドラム２と外胴３が、ともに、押出し成形された長い資材を巻尺テープ１の幅に合わせた長さに切断することによって形成されたものであることを特徴とする、という構成を採るものである。
【０００５】
同じく、上記課題を解決するために、本発明の巻尺ケースの製造方法は、素材を押出し成形することにより巻尺テープ１を巻き付けるドラム２を形成するための長いドラム用資材１５を形成するとともに、同じく、素材を押出し成形することによりドラム２に巻き付ける巻尺テープ１の外周部を覆う外胴３を形成するための長い外胴用資材１６を形成して、そのドラム用資材１５及び外胴用資材１６を巻尺テープ１の幅に合わせた長さに切断することによってドラム２及び外胴３を形成し、そのドラム２と外胴３に他の部品を組み付けて、ドラム２を外胴３の内側に回転自在に支持することを特徴とするものである。
【０００６】
【発明の実施の形態】
以下、図を用いて本発明の実施の形態について説明する。まず、図１及び図２に示すように、本発明の巻尺ケースは、巻尺テープ１を巻き付けるドラム２と、そのドラム２に巻き付ける巻尺テープ１の外周部を覆う外胴３と、その外胴３の両サイドの開口部を塞ぐ側面板４，５と、ドラム２の両端を支持して両サイドの側面板４，５に回転自在に取り付けるドラムホルダ６，７と、その一方のドラムホルダ６に取り付けたハンドル８と、外胴３の上面部に取り付けた握り１０等によって構成することができる。
【０００７】
上記の構成部品におけるドラム２は、図３及び図４に示すように、断面形状が幅方向のどの箇所でも同一となる。すなわち、このドラム２は押出し成形によって形成するものである。このドラム２の幅は、巻尺テープ１の幅に合わせた寸法にする必要がある。したがって、このドラム２を製造するには、図５に示すように、まず、素材を押出し成形することにより、長いドラム用資材１５を形成して、そのドラム用資材１５をカッター１７などによって巻尺テープ１の幅に合わせた長さに切断する。
【０００８】
ドラム２は、その側面部に巻尺テープ１の一端を接続可能な留め溝１２などを設けた形状にすることができる。なお、ドラム２の素材にはアルミ等の金属やプラスチック等を用いることができる。
【０００９】
上記の構成部品における外胴３も、図６及び図７に示すように、断面形状が幅方向のどの箇所でも同一となる。すなわち、この外胴３も押出し成形によって形成するものである。この外胴３の幅も、巻尺テープ１の幅に合わせた寸法にする必要がある。したがって、この外胴３を製造するには、図８に示すように、まず、素材を押出し成形することにより、長い外胴用資材１６を形成して、その外胴用資材１６をカッター１７などによって巻尺テープ１の幅に合わせた長さに切断する。
【００１０】
外胴３は、全体形状がほぼ横向き筒状を呈するが、その一部箇所、例えば正面と底面との境界位置などに巻尺テープ１の出入口９を設けるものとする。また、外胴３の外面は凹凸状にして、その上面部には握り１０の取付溝１３を設けることができる。さらに、外胴３の両サイドの端縁には側面板４，５をビス１１によって接合するためのビス穴１４を設けることができる。なお、外胴３の素材にもアルミ等の金属やプラスチック等を用いることができる。
【００１１】
上記のドラム２と外胴３は、幅が異なる巻尺テープ１に対しては、当然、その幅を、その巻尺テープ１の幅に合わせて変更する必要がある。そして、ドラム２と外胴３の幅を変更するには、押出し成形された長いドラム用資材１５と外胴用資材１６の切断位置を変えるだけでよい。
【００１２】
外胴３の両サイドにそれぞれ左右の側面板４，５をビス１１等によって取り付け、巻尺テープ１を巻き付けたドラム２の両端にそれぞれドラムホルダ６，７を取り付け、そのドラムホルダ６，７を側面板４，５に対し回転自在に取り付け、一方のドラムホルダ６にハンドル８を取り付け、外胴３の上面部に握り１０を取り付ければ、巻尺ケースを完成させることができる。
【００１３】
なお、本発明の巻尺ケースは、幅が異なる巻尺テープ１を採用する場合に、上記のドラム２と外胴３の幅を変えるだけでよく、それ以外の部品、すなわち、側面板４，５、ドラムホルダ６，７、ハンドル８、及び握り１０等は変える必要がない。したがって、幅が異なる複数種類の巻尺テープ１をそれぞれ収容する複数種類の巻尺ケースを製造する場合に、それらの一部構成部品を共通化することができる。
【００１４】
【発明の効果】
本発明の巻尺ケース及びその製造方法は上記の通りであり、巻尺ケースの構成部品におけるドラム２と外胴３を、ともに、押出し成形された長い資材を巻尺テープ１の幅に合わせた長さに切断することによって形成するので、幅が異なる複数種類の巻尺テープを収容する複数種類の巻尺ケースのドラム２と外胴３を成形する場合に、同一の金型を使用することができる。したがって、長さが異なって巻き径も異なってくる複数種類の巻尺テープを収容する複数種類の巻尺ケースを製造する場合にのみ、その金型を変えればよいので、全体的な金型点数を減少してコストを削減することができる。
また、ドラム２と外胴３を形成する押出し成形用の金型は、射出成形用の金型に較べ安価なので、初期投資が少なくて済むというメリットもある。
また、ドラム２と外胴３以外の部品は、例えば、側面板４，５、ドラムホルダ６，７、ハンドル８、握り１０等の部品は、巻尺テープ１の幅を変更しても、それに応じて変える必要がないので、これらの部品を共通化できるというメリットもある。
また、ドラム２と外胴３は押出し成形された資材から形成するので、断面形状が幅方向に同一で安定するというメリット、同一の外面形状が幅方向に連続するのでデザイン的な統一性があるというメリット、形状がほぼ筒状を呈しているので強度が高く幅が広いものでも頑丈であるというメリット等がある。
【図面の簡単な説明】
【図１】側面図である。
【図２】下半部を断面とした背面図である。
【図３】ドラムの正面図である。
【図４】図３のＡ−Ａ線における断面図である。
【図５】ドラムの製造工程を示す正面図である。
【図６】外胴の正面図である。
【図７】図６のＢ−Ｂ線における断面図である。
【図８】外胴の製造工程を示す正面図である。
【符号の説明】
１  巻尺テープ
２  ドラム
３  外胴
４  側面板
５  側面板
６  ドラムホルダ
７  ドラムホルダ
８  ハンドル
９  巻尺テープの出入口
１０  握り
１１  ビス
１２  留め溝
１３  取付溝
１４  ビス穴
１５  ドラム用資材
１６  外胴用資材
１７  カッター
【図１】
0003555112.tif 000002
【図２】
0003555112.tif 000003
【図３】
0003555112.tif 000004
【図４】
0003555112.tif 000005
【図５】
0003555112.tif 000006
【図６】
0003555112.tif 000007
【図７】
0003555112.tif 000008
【図８】
0003555112.tif 000009